(57)【特許請求の範囲】
【請求項１】
第１の筐体と第２の筐体とをヒンジ部を介して連結し、前記ヒンジ部を軸として開閉可能な通信装置であり、
前記通信装置は、筐体閉時に露出し、アドレス又はメール内容を表示する表示部と、筐体閉時に露出するキーと、記憶部と、制御部と、を有し、
前記制御部は、受信したが過去メール内容を表示していないメールが前記記憶部に格納されていると共に筐体が閉じた状態で前記キーが操作されたと判定すると、
前記表示部にメール内容が現在表示されているか否かを判定し、メール内容が表示されていると判定すると、前記表示部に表示されているメール内容の続く文章を前記表示部に表示させ、一方、アドレスが表示されていると判定すると、受信したメール内容の先頭部分を表示するように制御することを特徴とする通信装置。
【発明の詳細な説明】
【０００１】
【発明の属する技術分野】
本発明は通信装置に関する。
【０００２】
【従来の技術】
近年の通信装置（例えば、携帯電話装置）には、通話の機能だけでなくメールの送受信機能を有するものもある。
【０００３】
又、このようにメールの送受信機能を有した二つ折りタイプの携帯電話装置も販売されている。
【０００４】
このような二つ折りタイプの携帯電話装置は、通常、テンキーや通話キー等を有する第１の筐体と、表示部を有する第２の筐体とをヒンジ部３を介して連結させた構造となっている。
【０００５】
ユーザが二つ折りの携帯電話装置を使用する際には、筐体を開いて第２の筐体の表示部を見ながら第１の筐体のテンキーや通話キー等を操作することにより、メールの送受信や発呼や着呼応答等の操作を行うことができる。
【０００６】
ユーザが電話装置を使用しない時には、筐体を閉じることにより、外部から表示部を見えない状態にすると共にキーが操作できない状態にする。
【０００７】
このような構成となっているのは、表示部を保護すると共に誤ってキーが操作されることを防ぐ為である。
【０００８】
【発明が解決しようとする課題】
二つ折りの携帯電話では、着呼時にユーザが発呼側を確認する為には一々筐体を開いて表示部を見なければならず即座にだれからの着呼であるかを確認することができない。
【０００９】
又、ユーザは、受信したメールを読む際には筐体を開いた後に受信メールを選択して表示部に表示させ、画面をスクロールするといった一連の操作を行う必要があり、操作が面倒である。
【００１０】
【課題を解決するための手段】
本発明はこのような問題を解決する為のものであり、第１の筐体と第２の筐体とをヒンジ部を介して連結し、前記ヒンジ部を軸として開閉可能な通信装置であり、前記通信装置は、筐体閉時に露出し、アドレス又はメール内容を表示する表示部と、筐体閉時に露出するキーと、記憶部と、制御部と、を有し、前記制御部は、受信したが過去メール内容を表示していないメールが前記記憶部に格納されていると共に筐体が閉じた状態で前記キーが操作されたと判定すると、前記表示部にメール内容が現在表示されているか否かを判定し、メール内容が表示されていると判定すると、前記表示部に表示されているメール内容の続く文章を前記表示部に表示させ、一方、アドレスが表示されていると判定すると、受信したメール内容の先頭部分を表示するように制御することを特徴とする。
【００１１】
請求項２記載の通信装置は、第１の筐体と第２の筐体とをヒンジ部を介して連結し、前記ヒンジ部を軸として開閉可能な通信装置であり、前記通信装置は、筐体閉時に露出する表示部を有し、筐体閉時に前記表示部に受信メッセージを表示することを特徴とする。
【００１２】
請求項３記載の通信装置は、請求項１又は２記載の通信装置であり、前記通信装置は、筐体閉時に操作可能に配設され前記表示部に表示されるメール着信アドレス或いは受信メッセージの表示変更を操作する操作手段を有することを特徴とする。
【００１３】
請求項４記載の通信装置は、請求項３記載の通信装置であり、前記操作手段は、メールアドレス表示の切換を行う切換キーと、指定されているメールアドレスのメール内容表示を行うメッセージキーと、表示領域を越える為に表示から漏れているメッセージを表示させる為の表示送りを行う送りキー或いは表示戻りを行う戻りキーであることを特徴とする。
【００１４】
請求項５記載の通信装置は、請求項４記載の通信装置であり、前記送りキー或いは戻りキーはヒンジ部に配設されていることを特徴とする。
【００１５】
請求項６記載の通信装置は、請求項４記載の通信装置であり、前記送りキー或いは戻りキーはメッセージキーを兼用していることを特徴とする。
【００１６】
請求項７記載の通信装置は、請求項１〜６記載の通信装置であり、前記通信装置は、受信したメールのメールアドレスとメール内容を格納する格納手段を有し、前記表示手段は、前記格納手段に格納されているメールアドレス又はメール内容の内、未だ表示していないメールアドレス又はメール内容のみを表示することを特徴とする。
【００１７】
【発明の実施の形態】
図１及び図２は本発明を適用してなる実施例装置の外観斜視図である。
【００１８】
図１は携帯電話装置を開いた状態を示しており、図２は閉じた状態を示している。
【００１９】
図１及び図２に示す携帯電話装置は、第１の表示部１５０を有する第１の筐体１と、テンキー等からなる入力部１４０を有する第２の筐体２とがヒンジ部３を介して連結された構成となっており、前記第１又は第２の筐体は、前記ヒンジ部３を軸として開閉可能である。
【００２０】
前記第１筐体１は、アンテナ４と着信ランプ５とを有しており、前記ヒンジ部３は、発呼側のメールアドレスや受信したメール内容等を表示する為の第２の表示部１６０を有すると共に、ヒンジ部３両端には前記第２表示部１６０に表示されているメール内容を送り表示する為の第１メール操作部１７０と、メール内容を戻して表示する為の第２メール操作部１８０とを有している。又、第１筐体１の側面に第２表示部１６０に表示されているメールを切換える為のキーであるメール切換キー６を有している。
【００２１】
図３は、本発明を適用してなる実施例装置のブロック図である。
【００２２】
図３において、制御部１００は、以下に示す各回路の制御を司る。
【００２３】
送受信部１１０は、アンテナ４と接続されており、電話番号データや音声データはもちろんのこと、メールアドレスデータやメール内容データの送受信を行う。
【００２４】
メール格納部１２０は、前記送受信部１１０にて受信した発呼側のメールアドレスと、該メールアドレスに対応するメール内容と、該メール内容が一度表示されたか否かを示す情報(未表示情報)とを複数件格納可能である。
【００２５】
尚、前記未表示情報は、例えば、“０”または“１”のフラグで表記され、フラグが”１”であれば未表示情報であることを示し、フラグが”０”であれば表示済みの情報であることを示し、更にメール内容が格納されていなければ前記未表示情報は前記メール格納部１２０に格納されない。
【００２６】
開閉検出部１３０は、筐体の開閉検出を行う。
【００２７】
尚、前記開閉検出部１３０はヒンジ部３に設けても良いし、筐体を閉じた際に一方の筐体に設けられた凸部分が片方の筐体に設けられたスイッチを押下することにより筐体が閉じたことを検出するような構成としても良い。
【００２８】
入力部１４０は、図１に示す第２筐体２に配置されており、テンキーや通話キーや切キー等からなる。
【００２９】
第１表示部１５０は、図１に示す第１筐体１に配置されており、電話番号等を表示可能である。
【００３０】
尚、前記入力部１４０と第１表示部１５０は、図２に示す如く筐体が閉じられた状態では外から見えないようになっている。
【００３１】
第２表示部１６０は、前記メール格納部１２０に格納されているメールアドレスやメール内容を表示する。
【００３２】
第１メール操作部１７０は、図１、図２中のヒンジ部３右端部分に形成されており、第２表示部１６０にメール内容が表示されている際に、メール内容をスクロール（続くメール内容を表示）する為のものである。
【００３３】
第２メール操作部１８０は、図１、図２中のヒンジ部３左端部分に形成されており、第２表示部１６０にメール内容が表示されている際に、メール内容をバックスクロール（前のメール内容を表示）する為のものである。
【００３４】
次に、本実施例装置の動作について説明する。
【００３５】
図４は、本実施例装置の動作を示すフロー図であり、図５は、前記第２表示部１６０に表示されるアドレスデータ（ａ）とメール内容（ｂ）、（ｃ）である。
【００３６】
図４に示すＳ１ステップでは、制御部１００は、メール格納部１２０に受信メールが格納されているか否かを判定し、格納されていると判定するとＳ２ステップへ処理を進める。
【００３７】
Ｓ２ステップでは、制御部１００は、開閉検出部１３０から筐体が開いていることを示す信号を検出するとＳ１７ステップへ処理を進め、そうでなければ、Ｓ３ステップへ処理を進める。
【００３８】
Ｓ３ステップでは、制御部１００は、メール格納部１２０に前記未表示情報が格納されていると判定すると、Ｓ４ステップへ処理を進め、そうでなければ、第２表示部１６０に例えば“未表示データなし”と表示し、Ｓ１ステップへ処理を戻す。
【００３９】
Ｓ４ステップでは、制御部１００は、例えば、図５（ａ）に示す如く未表示情報が付してあるメールアドレスのみ第２表示部１６０に表示させる。即ち、前記メール格納部１２０に格納されているメールアドレスの内、未だ表示したことがないメール内容に対応するメールアドレスのみを表示させる。
【００４０】
尚、制御部が後述するＳ１５ステップを処理した後にＳ３ステップを処理する場合には、表示されているメールアドレス又はメール内容とは異なる未表示メールアドレス又はメール内容を切換表示する。
【００４１】
Ｓ５ステップでは、制御部１００は、第１メール操作部１７０から押下有りを示す信号を検出するとＳ６ステップへ処理を進め、一方、検出しなければ、Ｓ１０ステップへ処理を進める。
【００４２】
Ｓ６ステップでは、制御部１００は、第２表示部１６０にメール内容（例えば、図５（ｂ）に示す文章）が表示されていると判定すると、Ｓ９ステップへ処理を進め、そうでなければ、Ｓ７ステップへ処理を進める。
【００４３】
Ｓ７ステップでは、制御部１００は、第２表示部１６０に表示されているメールアドレスに対応するメール内容をメール格納部１２０から読み出し、第２表示部１６０に表示させる。尚、この時第２表示部１６０に表示されるメール内容は、第２表示部１６０の表示可能な文字数分だけである。従って、メール内容の文字数が第２表示部１６０の表示可能な文字数を越える場合には、例えば図５（ｂ）に示すように、第２表示部１６０にはメール内容の先頭部分だけが表示される。
【００４４】
Ｓ８ステップでは、制御部１００は、メール格納部１２０を制御することにより。現在表示しているメール内容に対応する未表示情報を消去し、Ｓ５ステップへ処理を戻す。
【００４５】
Ｓ９ステップでは、制御部１００は、第２表示部１６０に表示されているメール内容（例えば、図５（ｂ）に示す文章）の続く文章をメール格納部１２０から読取り第２表示部１６０に表示させ（例えば、図５（ｃ）の文章）、Ｓ５ステップへ処理を戻す。
【００４６】
このように、Ｓ５〜Ｓ９ステップでは、制御部１００は、第１メール操作部１７０の操作に応じて、第２表示部１６０に表示されているアドレスデータに対応するメール内容を表示（例えば、図５（ａ）参照）するか、或いは第２表示部１６０に表示されているメール内容（例えば、図５（ｂ）参照）の続くメール内容をスクロール表示（例えば、図５（ｃ）参照）する。
【００４７】
Ｓ１０ステップでは、制御部１００は、第２メール操作部１８０からキー押下有りを示す信号を検出するとＳ１１ステップへ処理を進め、一方、検出しなければ、Ｓ１５ステップへ処理を進める。
【００４８】
Ｓ１１ステップでは、制御部１００は、第２表示部１６０にメール内容（例えば、図５（ｂ）に示す文章）が表示されていると判定すると、Ｓ１４ステップへ処理を進め、そうでなければ、Ｓ１２ステップへ処理を進める。
【００４９】
Ｓ１２ステップでは、制御部１００は、第２表示部１６０に表示されているメールアドレスに対応するメール内容をメール格納部１２０から読み出し、第２表示部１６０に表示させる。尚、この時第２表示部１６０に表示されるメール内容は、第２表示部１６０の表示可能な文字数分だけである。従って、メール内容の文字数が第２表示部１６０の表示可能な文字数を越える場合には、例えば図５（ｂ）に示すように、第２表示部１６０にはメール内容の先頭部分だけが表示される。
【００５０】
Ｓ１３ステップでは、制御部１００は、メール格納部１２０を制御することにより。現在表示しているメール内容に対応する未表示情報を消去し、Ｓ１０ステップへ処理を戻す。
【００５１】
Ｓ１４ステップでは、制御部１００は、第２表示部１６０に表示されているメール内容の前の文章をメール格納部１２０から読取り第２表示部１６０に表示させ、Ｓ１０ステップへ処理を戻す。
【００５２】
このように、Ｓ１０〜Ｓ１４ステップでは、制御部１００は、第１メール操作部１７０の操作に応じて、第２表示部１６０に表示されているアドレスデータに対応するメール内容を表示（例えば、図５（ａ）参照）するか、或いは第２表示部１６０に表示されているメール内容（例えば、図５（ｃ）参照）の前のメール内容をバックスクロール表示（例えば、図５（ｂ）参照）する。
【００５３】
尚、第２表示部１６０に表示されているメール内容をスクロール（又はバックスクロール）させる際には、第１操作部１７０又は第２操作部１８０を押下し続けることにより文字を１文字ずつ自動的に切換表示しても良いし、前記第１操作部１７０又は第２操作部１８０を１回押下する毎に文字を１文字ずつ切換表示する構成としても良い。
【００５４】
Ｓ１５ステップでは、制御部１００は、メール切換キー６からキーの押下を示す信号を検出すると、Ｓ３ステップへ処理を戻し、そうでなければ、Ｓ１６ステップへ処理を進める。
【００５５】
Ｓ１６ステップでは、制御部１００は、前記Ｓ２ステップと同様に筐体が開かれたと判定するとＳ１７ステップへ処理を進め、そうでなければＳ５ステップへ処理を戻す。
【００５６】
Ｓ１７ステップでは、制御部１００は、第２表示部１６０の表示動作を一時停止させる。
【００５７】
続くＳ１８ステップでは、制御部１００は、第１表示部１５０の表示動作を開始させ、例えば、着信やメール受信があった旨等の情報を第１表示部１５０に表示させＳ２ステップへ処理を戻す。
【００５８】
尚、制御部１００は、Ｓ１８ステップからＳ２ステップへ処理を戻す間にダイヤル発信やメール送信等の操作指示があると判定すると、その操作指示に応じた処理を行う。
【００５９】
以上説明したように、本実施例の通信装置は、筐体が閉じた状態でも第２表示部１６０にメールアドレスを表示させる為、ユーザがだれからのメールがあるかを筐体が閉じた状態でも確認することが可能である。又、ユーザがヒンジ部３両端に設けられた第１操作部１７０又は第２操作部１８０を操作することにより、受信したメールの先頭を表示させることができる為、メールアドレスだけでは誰からのメールであるかわからない場合でも、メールの送信者を知ることが可能である。なぜなら、メール文章の先頭部分には送信者の名前が記載されていることが多いからである。
【００６０】
更に、ユーザがヒンジ部３両端に設けられた第１操作部１７０又は第２操作部１８０を操作することにより、受信したメールをスクロール（バックスクロール）表示することが可能である為、筐体を開かなくとも簡単な操作でメール内容を確認することが可能である。
【００６１】
その上、第２表示部１６０には、未だ表示したことのないメールアドレスやメール内容のみ表示する為、複数件のメールがメール格納部１２０に格納されている場合に、ユーザが未だ表示したことのないメールはどのメールであるかを一件一件開いて確認する必要がない。
【００６２】
尚、本実施例では、メール受信後に第２表示部１６０にメールアドレスを表示させる構成としたが、第２表示部１６０に供給される電力を極力少なくする為に、メールアドレスの表示を所定時間毎にオンオフする構成にしても良い。
【００６３】
又、メール受信後に第２表示部１６０にはメールアドレスを表示させないようにすると共にメール受信があることを、着信ランプ５の点灯状態や発光色によりユーザに報知する構成としても良い。
【００６４】
更に、本実施例では、第２表示部１６０には未だ表示したことのないメールアドレスやメール内容のみを表示させる構成にしたが、表示したことのあるメールアドレスやメール内容も表示可能な構成にしても良い。このような構成とすると、ユーザは、未だ開いていないメールのみをすぐに確認することはできないが、携帯電話の筐体を開かなくとも以前受信したメール内容を再確認することができる。
【００６５】
又、未表示メールのみを第２表示部１６０に表示するモードと、全てのメールを第２表示部に表示するモードのどちらを実行させるかをユーザが設定可能としても良い。
【００６６】
【発明の効果】
本発明は、容易に発呼者やメール内容を確認することが可能である。
【図面の簡単な説明】
【図１】本発明を適用してなる実施例装置の外観斜視図である。
【図２】本実施例装置の外観斜視図である。
【図３】本実施例装置のブロック図である。
【図４】本実施例装置の動作を示すフロー図である。
【図５】第２表示部１６０の表示形態を示す図である。
【符号の説明】
１  第１の筐体
２  第２の筐体
３  ヒンジ部
６  メール切換キー
１２０  メール格納部
１３０  開閉検出部
１６０  第２表示部
１７０  第１メール操作部
１８０  第２メール操作部
【図１】
0003723470.tif 000002
【図２】
0003723470.tif 000003
【図３】
0003723470.tif 000004
【図４】
0003723470.tif 000005
【図５】
0003723470.tif 000006